(57)【要約】      （修正有）【課題】安価で、体液の吸収性能が高く異物がほとんどない織布の医療ガーゼを提供する。【解決手段】患者の血液などの体液を吸収したり、患者の創傷面を被覆したりする織布の医療ガーゼにおいて、織布１は、経糸２と緯糸３を平織し、経糸と緯糸の両方又は一方を再生繊維糸、レーヨン糸又はキュプラ糸にする。経糸と緯糸はレーヨン糸、キュプラ糸又はポリエステル糸にし、織布は脱脂処理をしなくてもよい。経糸と緯糸は、一方を綿糸にしてもよい。【選択図】図１
0003184588.tif 000002
【実用新案登録請求の範囲】
【請求項１】
患者の血液などの体液を吸収したり、患者の創傷面を被覆したりする織布の医療ガーゼにおいて、
織布は、経糸と緯糸を平織し、経糸と緯糸の両方又は一方を再生繊維糸にしていることを特徴とする医療ガーゼ。
【請求項２】
再生繊維糸は、レーヨン糸又はキュプラ糸にしていることを特徴とする請求項１に記載の医療ガーゼ。
【請求項３】
経糸と緯糸は、レーヨン糸、キュプラ糸又はポリエステル糸にし、
織布は、脱脂処理をしていないことを特徴とする請求項１又は２に記載の医療ガーゼ。
【請求項４】
経糸と緯糸は、一方を綿糸にしていることを特徴とする請求項１又は２に記載の医療ガーゼ。
【考案の詳細な説明】
【技術分野】
【０００１】
本考案は、患者の血液などの体液を吸収したり、患者の創傷面を被覆したりする織布の医療ガーゼに関する。
【背景技術】
【０００２】
織布の医療ガーゼを製造するときは、綿糸の経糸と緯糸を織機で平織して原布を製作する。綿布の原布は、脱脂し、漂白する。そして、原布に異物が含まれているか否かを検査する。原布の異物付着部分は、切り取る。帯状の原布は、所望の寸法に裁断し、折り畳んで包装する。
【０００３】
綿布の原布は、脱脂工程で脂肪分を除去して吸収性を高める。漂白工程で白度を高める。検査工程で異物を除去して安全性ないし衛生性を高める。
【０００４】
異物は、素材の綿花の収穫運搬時、綿糸の紡績時や原布の製織時に混入する。綿花の収穫運搬時に混入した異物は、その後の綿糸の紡績工程、原布の製織工程、脱脂工程や漂白工程で、大部分が取り除かれるが、少量が残る。異物には、綿埃、他の植物片、他の繊維、昆虫、土砂、人毛、梱包材片、オイルステンなどが例示される。
【先行技術文献】
【特許文献】
【０００５】
【特許文献１】登録実用新案第３０６１０８３号公報
【考案の概要】
【考案が解決しようとする課題】
【０００６】
［課  題］
上記のような織布の医療ガーゼは、綿布の脱脂が不十分であると、吸収性が低くなる。脱脂工程は、強アルカリで高温高圧で処理する。大掛な装置ないし機器を要し、多くの手間が掛かる。
また、織布の医療ガーゼは、検査が不十分であると、異物が残り、安全性ないし衛生性が低くなる。検査工程は、綿花の収穫運搬時、綿糸の紡績時や原布の製織時に混入する多種類の異物を検査対象にする。大掛な装置ないし機器を要し、多くの手間が掛かる。更に、原布の異物付着部分が多いと、製造能率が低下する。
吸収性能が高くて異物がほとんどない織布の医療ガーゼが安価に提供されることが望まれる。
【０００７】
［着  想］
１．上記のような課題は、医療ガーゼの織布の経糸と緯糸に、綿花を紡績した綿糸を用いることに起因している。
綿花は、脂肪が付着していて、撥水性である。綿布は、脱脂しないと、吸収性がない。綿糸は、綿花の収穫運搬時に混入した異物が残っている。
【０００８】
そこで、再生繊維糸に着目した。再生繊維は、天然繊維の木材パルプや綿花を溶解し、溶解液をノズルから凝固液中に噴射して繊維に再生する。天然繊維に含まれていた脂肪や異物は、天然繊維の溶解時に一緒に溶解する。再生繊維糸は、天然繊維に付着していた脂肪や異物が残っていない。
【０００９】
したがって、医療ガーゼの織布の糸を再生繊維糸にすると、脱脂が不要になったり、脱脂が簡単になったりする。また、異物検査が不要になったり、異物検査が簡単になったりする。吸収性能が高くて異物がほとんどない織布の医療ガーゼが安価に得られることになる。
【００１０】
２．医療ガーゼは、織布の経糸と緯糸の両方又は一方を再生繊維糸にすることとした。
再生繊維糸は、レーヨン糸（ビスコースレーヨン糸）とキュプラ糸（銅アンモニアレーヨン糸）が典型例である。医療ガーゼは、織布の経糸と緯糸にレーヨン糸、キュプラ糸、ポリエステル糸や綿糸を用いる。経糸と緯糸の組み合わせは、レーヨン糸とレーヨン糸、レーヨン糸とキュプラ糸、レーヨン糸とポリエステル糸や、綿糸とレーヨン糸が例示される。
【００１１】
織布の医療ガーゼは、経糸と緯糸にレーヨン糸、キュプラ糸又はポリエステル糸を用いるときには、脱脂処理をしない。また、検査対象の異物を減らす。綿花の収穫運搬時に混入するが、再生繊維糸の紡績時や原布の製織時には混入しない異物は、検査対象にしない。
【００１２】
織布の医療ガーゼは、経糸と緯糸の一方に綿糸を用いるときには、脱脂処理を行い、綿花の収穫運搬時に混入する異物も検査対象にする。その脱脂処理と異物検査は、経糸と緯糸の両方に綿糸を用いるときに比べ、簡単になる。
【課題を解決するための手段】
【００１３】
１．患者の血液などの体液を吸収したり、患者の創傷面を被覆したりする織布の医療ガーゼにおいて、
織布は、経糸と緯糸を平織し、経糸と緯糸の両方又は一方を再生繊維糸にしていることを特徴とする。
２．上記１の医療ガーゼにおいて、
再生繊維糸は、レーヨン糸又はキュプラ糸にしていることを特徴とする。
３．上記１又は２の医療ガーゼにおいて、
経糸と緯糸は、レーヨン糸、キュプラ糸又はポリエステル糸にし、
織布は、脱脂処理をしていないことを特徴とする。
４．上記１又は２の医療ガーゼにおいて、
経糸と緯糸は、一方を綿糸にしていることを特徴とする。
【考案の効果】
【００１４】
吸収性能が高くて異物がほとんどない織布の医療ガーゼが安価になる。
【図面の簡単な説明】
【００１５】
【図１】本考案の実施形態の医療ガーゼの中間省略正面図。
【図２】同医療ガーゼの製造法のブロック線図。
【考案を実施するための形態】
【００１６】
［医療ガーゼの構成（図１参照）］
実施形態の医療ガーゼは、図１に示すように、平織の織布１にしている。織布１は、経糸２と緯糸３を共に再生繊維糸のレーヨン糸にしている。レーヨン糸は、４０番手にしている。経糸２と緯糸３は、それぞれ、１ｃｍ当たりの条数を１１〜１３本にしている。織布１の１ｃｍ×１ｃｍ内の経糸と緯糸の条数は、２３〜２６本にしている。織布１は、３０ｃｍ×１００ｃｍの質量を１０．３ｇ±８％にしている。
【００１７】
実施形態の医療ガーゼは、レーヨンガーゼにしている。実施例の医療ガーゼは、レーヨンガーゼの幅と長さを２９．０〜３０．５ｃｍにしている。約３０ｃｍ角にしている。いわゆる尺角ガーゼにしている。質量は、３ｇ位にしている。
【００１８】
［医療ガーゼの製造法（図２参照）］
実施形態の医療ガーゼの製造法は、図２に示すように、レーヨン糸の紡績工程、織布の製織工程と漂白工程を順次行う。その後、織布の検査工程、裁断工程、折畳工程と包装工程を順次行う。
【００１９】
紡績工程では、木材パルプや綿花を溶解して繊維状に再生したレーヨン繊維を紡績してレーヨン糸を得る。製織工程では、レーヨン糸の経糸と緯糸を織機で平織して織布を得る。脱脂工程は行わない。漂白工程では、レーヨン糸の織布を漂白する。漂白工程は、高い白度を要求されない医療ガーゼには行わない。検査工程では、紡績時や製織時に混入する異物を検出する。織布の異物付着部分は、切断して除去する。裁断工程では、帯状の織布を所望の寸法に裁断する。折畳工程では、所望の寸法にした医療ガーゼを折り畳む。包装工程では、折り畳んだ医療ガーゼを包装する。
なお、滅菌を要求される医療ガーゼには、滅菌工程を設ける。
【００２０】
［医療ガーゼの吸収性能の試験］
〔吸水量〕
実施形態の医療ガーゼは、３０ｃｍ角のレーヨンガーゼを水に所定時間浸ける。吸水したレーヨンガーゼを所定の金網上で所定時間放置する。水が滴る。含水したレーヨンガーゼの質量増加量、吸水量を測定する。比較例として、レーヨン糸を綿糸に替えた同様な綿ガーゼについて同様にして測定する。
吸水量は、レーヨンガーゼでは５枚の検体の平均値が２７．３１ｇであった。綿ガーゼでは５枚の検体の平均値が２９．３１ｇであった。
レーヨンガーゼは、脱脂しなくても、綿ガーゼの９３％強もの吸水量がある。
【００２１】
〔沈降速度、初期吸収力、吸収速度〕
実施形態の医療ガーゼは、１０ｇのレーヨンガーゼを所定の試験かごに入れ、試験かごを所定温度の水面上所定高さから静かに落す。試験かごが水面下に沈むまでの沈降時間を測定する。比較例として、レーヨン糸を綿糸に替えた同様な綿ガーゼについて同様にして測定する。
沈降時間は、レーヨンガーゼでは０秒８７であった。綿ガーゼでは１秒５８であった。
レーヨンガーゼは、綿ガーゼより沈降時間が短い。即ち、沈降速度、初期吸収力、吸収速度が高い。
【００２２】
〔試験結果〕
レーヨンガーゼは、綿ガーゼと同様に吸収性能が高い。
【００２３】
［変形例］
本考案は、上記の実施形態に限定されない。次のような変形が例示される。
１．上記の実施形態において、織布１は、Ｘ線造影糸を織り込んでいないが、Ｘ線造影糸付きにする。
２．上記の実施形態において、織布１は、図示例で長さ方向と幅方向に密織部分があるが、長さ方向と幅方向の密織部分の両方又は一方を無くする。
３．上記の実施形態において、織布１の経糸２と緯糸３は、レーヨン糸とレーヨン糸にしているが、レーヨン糸とキュプラ糸、レーヨン糸とポリエステル糸にする。
４．上記の実施形態において、織布１の経糸２と緯糸３は、綿糸とレーヨン糸にする。そして、脱脂工程を設けて、織布を脱脂する。検査工程では、綿花の収穫運搬時に混入する異物も検出する。
５．上記の実施形態において、医療ガーゼは、実施例で３０ｃｍ角にしているが、他の寸法にする。
【符号の説明】
【００２４】
１  医療ガーゼ、平織の織布、レーヨンガーゼ
２  経糸、レーヨン糸
３  緯糸、レーヨン糸
【図１】
0003184588.tif 000003
【図２】
0003184588.tif 000004